(57)【要約】【課題】  小径カップやショート缶を浅い位置にて取り出し容易に保持することができるとともに、大径カップを深い位置にて安定状態で保持することができるカップホルダを提供する。【解決手段】  小径カップＣ２を受けるためのカップ受け位置と、そこから側方へ退避する退避位置との間を移動な第１カップ受け部材１３Ａ、１３Ｂを設ける。第１カップ受け部材１３Ａ，１３Ｂをカップ受け位置に保持するとともに、大径カップＣ１の底部との係合により保持状態から解除されて、第１カップ受け部材１３Ａ，１３Ｂの退避移動を許容する保持レバー１５ａ，１５ｂを設ける。第１カップ受け部材１３Ａ，１３Ｂの直下位置には、第１カップ受け部材１３Ａ，１３Ｂの退避位置への移動にともなって下降してきた大径カップＣ１を受けるための第２カップ受け部材１７を設ける。【選択図】      図１
2006123824.tif 000002
【特許請求の範囲】
【請求項１】
小径カップを受けるためのカップ受け位置と、そこから側方へ退避する退避位置との間を移動可能な第１カップ受け部材と、
その第１カップ受け部材をカップ受け位置に保持するとともに、大径カップの底部により保持状態から解除されて、第１カップ受け部材の前記退避位置への移動を許容する保持手段と、
第１カップ受け部材の直下位置に配置され、大径カップを受ける第２カップ受け部材と
を備えたことを特徴とするカップホルダ。
【請求項２】
前記第２カップ受け部材は、常には上方の退避位置に配置され、第１カップ受け部材の退避位置への移動にともなって下降してきた大径カップの底部と係合して、下方のカップ受け位置に配置されることを特徴とする請求項１に記載のカップホルダ。
【請求項３】
前記第１カップ受け部材は、その一端部において上下方向に回動可能に支持され、
前記保持手段は、カップ受け位置の第１カップ受け部材を保持するとともに、大径カップとの係合により側方へ回動される保持レバーよりなることを特徴とする請求項１または請求項２に記載のカップホルダ。
【請求項４】
第１カップ受け部材は対向して一組設けられ、それらはカップ受け位置において互いに重合されることを特徴とする請求項１〜請求項３のうちのいずれか一項に記載のカップホルダ。
【請求項５】
第１カップ受け部材と第２カップ受け部材とは同一の支軸に支持されたことを特徴とする請求項１〜請求項４のうちのいずれか一項に記載のカップホルダ。
【発明の詳細な説明】
【技術分野】
【０００１】
この発明は、自動車等の車両において、ドアトリムや肘掛部等に設けられるカップホルダに関するものである。
【背景技術】
【０００２】
従来、この種のカップホルダとしては、例えば図７に示すような構成のものが提案されている。すなわち、この従来構成においては、ドアトリムや肘掛部等の上面のパネル２１に、カップ受け凹部２２が一体に形成されている。このカップ受け凹部２２は、通常、汎用サイズのカップＣ１に適合した直径及び深さを有するように形成され、従って、汎用サイズのカップＣ１の外、小径カップＣ２及びショート缶Ｃ３のいずれも保持することができるようになっている。
【発明の開示】
【発明が解決しようとする課題】
【０００３】
ところが、この従来のカップホルダにおいては、カップ受け凹部２２の形状が大径の汎用サイズのカップＣ１に合わせて設定されているため、小径カップＣ２やショート缶Ｃ３等を保持する場合に、カップ受け凹部２２が深すぎて、その小径カップＣ２やショート缶Ｃ３が取り出しにくく、しかもカップ受け凹部２２の径が大きすぎて、車両走行中には、小径カップＣ２やショート缶Ｃ３がさかんに動き、不快な異音がたえまなく発せられたりするという問題があった。
【０００４】
また、ショート缶Ｃ３等の取り出しにくさに対処するため、図８に示すように、カップ受け凹部２２の深さを、小径カップＣ２やショート缶Ｃ３に適合するように浅く設定したカップホルダも考えられる。しかしながら、このような構成のカップホルダにおいては、当然のことながら、大径カップＣ１を受けた場合に、カップ受け凹部２２が浅すぎて、その大径カップＣ１を安定状態に保持することができない。
【０００５】
この発明は、このような従来の技術に存在する問題点に着目してなされたものである。その目的は、小径カップやショート缶を浅い位置にて取り出し容易に保持することができるとともに、むやみに動くのを抑制でき、しかも大径カップを深い位置にて安定状態で保持することができるカップホルダを提供することにある。
【課題を解決するための手段】
【０００６】
上記の目的を達成するために、請求項１に記載の発明は、小径カップを受けるためのカップ受け位置と、そこから側方へ退避する退避位置との間を移動可能な第１カップ受け部材と、その第１カップ受け部材をカップ受け位置に保持するとともに、大径カップの底部との係合により保持状態から解除されて、第１カップ受け部材の前記退避位置への移動を許容する保持手段と、第１カップ受け部材の直下位置に配置され、大径カップを受ける第２カップ受け部材とを備えたことを特徴とするものである。
【０００７】
請求項２に記載の発明は、請求項１に記載の発明において、前記第２カップ受け部材は、常には上方の退避位置に配置され、第１カップ受け部材の退避位置への移動にともなって下降してきた大径カップの底部と係合して、下方のカップ受け位置に配置されることを特徴とするものである。
【０００８】
請求項３に記載の発明は、請求項１または請求項２に記載の発明において、前記第１カップ受け部材は、その一端部において上下方向に回動可能に支持され、前記保持手段は、カップ受け位置の第１カップ受け部材を保持するとともに、大径カップとの係合により側方へ回動される保持レバーよりなることを特徴とするものである。
【０００９】
請求項４に記載の発明においては、請求項１〜請求項３のうちのいずれか一項に記載の発明において、第１カップ受け部材は対向して一組設けられ、それらはカップ受け位置において互いに重合されることを特徴とするものである。
【００１０】
請求項５に記載の発明においては、請求項１〜請求項４のうちのいずれか一項に記載の発明において、第１カップ受け部材と第２カップ受け部材とは同一の支軸に支持されたことを特徴とするものである。
（作用）
請求項１に記載の発明においては、通常は保持手段により、第１カップ受け部材がカップ受け位置に保持されている。よって、この第１カップ受け部材により、小径カップやショート缶を浅い位置にて取り出し容易に保持することができる。また、大径カップを受ける場合には、保持手段が大径カップの底部との係合により保持状態から解除されて、第１カップ受け部材がカップ受け位置から退避位置に移動される。そして、この第１カップ受け部材の退避位置への移動にともなって大径カップが下降され、第１カップ受け部材の直下位置の第２カップ受け部材にて受け止められる。よって、大径カップを深い位置にて安定状態で保持することができる。
【００１１】
請求項２に記載の発明においては、大径カップを受ける場合に、第１カップ受け部材の退避位置への移動にともなって下降してきた大径カップの底部との係合により、第２カップ受け部材が上方の退避位置から下方のカップ受け位置に移動される。よって、大径カップを受ける場合以外のときには、第２カップ受け部材が上方位置にある。従って、この状態では、第２カップ受け部材の下方に広い空間を確保でき、この空間を収容空間等として有効に利用できる。
【００１２】
請求項３に記載の発明においては、保持手段の構成が簡単であるとともに、第１カップ受け部材をカップ受け位置に解除可能な状態で確実に保持することができる。
請求項４に記載の発明においては、重合状態の第１カップ受け部材によりカップを安定して受けることができる。
【００１３】
請求項５に記載の発明においては、第１カップ受け部材と第２カップ受け部材とが同一軸上に支持されるため、構成が簡単である。
【発明の効果】
【００１４】
以上のように、この発明によれば、小径カップやショート缶を浅い位置にて取り出し容易に保持することができるとともに、大径カップを深い位置にて安定状態で保持することができ、しかも異音の発生等を抑制できる。
【発明を実施するための最良の形態】
【００１５】
（第１実施形態）
以下に、この発明の第１実施形態を、図１及び図３に基づいて説明する。
図１及び図２に示すように、車両における肘掛部等の上面のパネル１１には、カップ受け用の開口１２が形成されている。この開口１２の直径は、大径カップＣ１に適合するように大径状に形成されている。開口１２に対応するようにパネル１１の下部には、対向して設けられた一組の第１カップ受け部材１３Ａ，１３Ｂがそれぞれそれらの外端部において支軸１４により上下方向へ回動可能に支持されている。各第１カップ受け部材１３Ａ，１３Ｂは、支軸１４の部分に設けられた図示しない巻きバネ等のバネにより、小径カップＣ２及びショート缶Ｃ３を受けるための図１に示す中央上方のカップ受け位置に回動付勢されている。この状態では、両第１カップ受け部材１３Ａ，１３Ｂは重合されるが、それらの上面、すなわちカップを受ける面はほぼ同一平面上に位置するように形成される。両第１カップ受け部材１３Ａ，１３Ｂには、段差部１８が形成され、図１に示す重合状態において、この段差部１８が小径カップＣ２等の底部を受けるようになっている。そして、図３に示すように、大径カップＣ１を受ける場合には、両第１カップ受け部材１３Ａ，１３Ｂが前記バネの付勢力に抗して、カップ受け位置から両側下方の退避位置に回動されるようになっている。
【００１６】
前記各第１カップ受け部材１３Ａ，１３Ｂにそれぞれ対応するように、パネル１１の下部には保持手段としての一対の保持レバー１５ａ，１５ｂがそれぞれ支軸１６により回動可能に支持されている。各保持レバー１５ａ，１５ｂの外側下部には、各第１カップ受け部材１３Ａ，１３Ｂの端部に係合可能な係合部１５ｃ，１５ｄがそれぞれ形成されている。各保持レバー１５ａ，１５ｂは、支軸１６の部分に設けられた図示しない巻きバネ等のバネにより、係合部１５ｃ，１５ｄにおいて両第１カップ受け部材１３Ａ，１３Ｂの端部にそれぞれ係合して、それらの第１カップ受け部材１３Ａ，１３Ｂを図１に示すカップ受け位置に保持するための保持位置に回動付勢されている。そして、図３に示すように、大径カップＣ１を受ける場合には、これらの保持レバー１５ａ，１５ｂが大径カップＣ１の底部との係合により前記バネの付勢力に抗して、保持位置から両側方の解除位置に回動されて、第１カップ受け部材１３Ａ，１３Ｂの退避位置への回動を許容するようになっている。
【００１７】
前記第１カップ受け部材１３Ａ，１３Ｂの直下に位置するように、パネル１１の下部には一対の第２カップ受け部材１７が一方の第１カップ受け部材１３Ａと同一の支軸１４を中心に回動可能に支持され、これらの第２カップ受け部材１７は一方の第１カップ受け部材１３Ａの両側に位置している。この第２カップ受け部材１７は、支軸１４の部分に設けられた図示しない巻きバネ等のバネの付勢力により、図１に示すように、常には上方の退避位置に回動配置されている。そして、図３に示すように、大径カップＣ１を受ける場合には、第１カップ受け部材１３Ａ，１３Ｂの退避位置への回動にともなって下降してきた大径カップＣ１の底部との係合により、第２カップ受け部材１７がバネの付勢力に抗して下方のカップ受け位置に回動配置されるようになっている。ストッパ１９は、第２カップ受け部材１７を下方のカップ受け位置で保持するために、前記パネル１１に設けられたものである。
【００１８】
次に、前記のように構成されたカップホルダの動作を説明する。
さて、図１に示すように、通常では両第１カップ受け部材１３Ａ，１３Ｂが中央上方のカップ受け位置に回動配置されて、保持レバー１５ａ，１５ｂの係合部１５ｃ，１５ｄとの係合により、そのカップ受け位置に保持されている。また、第２カップ受け部材１７が上方の退避位置に回動配置されている。この状態で、パネル１１の開口１２から小径カップＣ２またはショート缶Ｃ３を挿入すると、その底部がカップ受け位置の第１カップ受け部材１３Ａ，１３Ｂに当接して受け止められる。この状態では、保持レバー１５ａ，１５ｂには両第１カップ受け部材１３Ａ，１３Ｂの重量やショート缶Ｃ３等の重量が作用しているが、これらの重量は、保持レバー１５ａ，１５ｂの係合部１５ｃ，１５ｄによって受け止められ、両第１カップ受け部材１３Ａ，１３Ｂはカップ受け位置に安定維持される。しかも、この状態で、小径カップＣ２等は両第１カップ受け部材１３Ａ，１３Ｂの段差部１８によって移動が規制され、不快な異音を発生することはほとんどない。よって、小径カップＣ２やショート缶Ｃ３を浅い位置に保持することができて、それらを保持状態から容易に取り出すことができる。
【００１９】
これに対して、図１に鎖線で示すように、パネル１１の開口１２から大径カップＣ１を挿入した場合には、両保持レバー１５ａ，１５ｂの内周面に大径カップＣ１の底部が係合して、両保持レバー１５ａ，１５ｂ下方に押される。すると、図３に示すように、両保持レバー１５ａ，１５ｂが中央側の保持位置から両側方の解除位置に回動されて、両第１カップ受け部材１３Ａ，１３Ｂがカップ受け位置に対する保持状態から解除される。これにより、両第１カップ受け部材１３Ａ，１３Ｂが中央上方のカップ受け位置から両側下方の退避位置に回動される。
【００２０】
この第１カップ受け部材１３Ａ，１３Ｂの退避位置への回動にともなって大径カップＣ１が下降されるとともに、その大径カップＣ１の底部との係合により、第２カップ受け部材１７が下方のカップ受け位置に回動され、ストッパ１９によりその位置に保持される。よって、このカップ受け位置の第２カップ受け部材１７により、大径カップＣ１を深い位置にて安定状態で保持することができる。
【００２１】
以上のように、この実施形態においては、以下の効果を発揮する。
・  大小いずれのカップであっても、かつむやみに動いたり、異音を発生したりすることなく、安定して保持できるとともに、カップ受け状態から簡単に取り出すことができる。
【００２２】
・  第１カップ受け部材１３Ａと第２カップ受け部材１７とは支軸１４を共用しているため、構成が簡単である。
・  第１カップ受け部材１３Ａ，１３Ｂ及び第２カップ受け部材１７が図１に示す位置に配置された状態においては、それらが上方位置に配置されているため、第２カップ受け部材１７の下方に広い空間が形成され、その空間を収容部等として有効に利用できる。
【００２３】
（第２実施形態）
次に、この発明の第２実施形態を、前記第１実施形態と異なる部分を中心に説明する。
さて、この第２実施形態においては、図４及び図５に示すように、パネル１１の開口１２に対応して、１つの第１カップ受け部材１３及び１つの保持レバー１５が回動可能に配設されている。また、第１カップ受け部材１３の下方で、第１カップ受け部材１３と干渉しない位置には、第２カップ受け部材１７が固定状態で配設されている。
【００２４】
従って、この第２実施形態においても、前記第１実施形態の場合と同様に作用して、図４に示すように、小径カップＣ２やショート缶Ｃ３を浅い位置にて取り出し容易に保持することができるとともに、図５に示すように、大径カップＣ１を深い位置にて安定状態で保持することができる。また、この第２実施形態においては、部品点数を少なくして、構成を簡単にすることができる。
（変更例）
なお、この実施形態は、次のように変更して具体化することも可能である。
【００２５】
・  図６に示すように、保持レバー１５ａ，１５ｂの支軸１６を係合部１５ｃ，１５ｄによる第１カップ受け部材１３Ａ，１３Ｂを受ける位置と同一鉛直線Ｌ上あるいはその外側に位置するように構成すること。このようにすれば、第１カップ受け部材１３Ａ，１３Ｂをカップ受け位置においていっそう安定支持できる。
【００２６】
・  前記第１実施形態において、第２カップ受け部材１７を固定状態で配設すること。
・  前記第２実施形態において、第２カップ受け部材１７を退避位置とカップ受け位置との間で回動可能に配設すること。
【図面の簡単な説明】
【００２７】
【図１】第１実施形態のカップホルダを示す要部断面図。
【図２】図１のカップホルダの平断面図。
【図３】図１のカップホルダの動作状態を示す要部断面図。
【図４】第２実施形態のカップホルダを示す要部断面図。
【図５】図４のカップホルダの動作状態を示す要部断面図。
【図６】変形例を示す要部断面図。
【図７】従来のカップホルダを示す要部断面図。
【図８】従来のカップホルダの別の構成を示す要部断面図。
【符号の説明】
【００２８】
１１…パネル、１２…開口、１３…第１カップ受け部材、１３Ａ…第１カップ受け部材、１３Ｂ…第１カップ受け部材、１５…保持手段としての保持レバー、１５ａ…保持手段としての保持レバー、１５ｂ…保持手段としての保持レバー、１７…第２カップ受け部材、Ｃ１…大径カップ、Ｃ２…小径カップ、Ｃ３…ショート缶。
【図１】
2006123824.tif 000003
【図２】
2006123824.tif 000004
【図３】
2006123824.tif 000005
【図４】
2006123824.tif 000006
【図５】
2006123824.tif 000007
【図６】
2006123824.tif 000008
【図７】
2006123824.tif 000009
【図８】
2006123824.tif 000010